(57)【要約】  【課題】  従来通信データの種類等で設定された帯域に基づいて、ネットワーク上の中継器で通信データを分類して送信帯域を管理する帯域制御方法が用いていたが、システムやネットワークの動作状況に応じて帯域を動的に変更したり、各受信機器毎に帯域を設定するような場合、送信機器や中継器における帯域制御の設定や処理が複雑であった。  【解決手段】  受信機器に関する属性情報を管理する受信機器情報管理手段と、システムのデータ通信帯域を管理する帯域管理部と、帯域管理部と受信機器の間で帯域情報を通信する帯域情報通信手段と、受信機器の送信機器へのデータ通信要求を設定するデータ通信要求設定手段と、受信機器から送信機器へデータ通信要求を通知するデータ通信要求送信手段と、送信機器から送信されるデータを受信するデータ通信受信手段を有し、受信機器がデータ通信帯域を制御することを特徴とするネットワーク帯域制御システム。【選択図】  図１
2005086474.tif 000002
【特許請求の範囲】
【請求項１】
データ通信を行う送信機器と受信機器がネットワークで接続されたシステムにおいて、前期受信機器に関する属性情報を管理する受信機器情報管理手段と、前期システムにおけるデータ通信の帯域を管理する帯域管理部と、前期帯域管理部と前期受信機器の間で帯域情報を通信する帯域情報通信手段と、前期受信機器において前期送信機器へのデータ通信要求を設定するデータ通信要求設定手段と、前期受信機器から前期送信機器へデータ通信要求を通知するデータ通信要求送信手段と、前期送信機器から送信されるデータを受信するデータ通信受信手段を有し、前期受信機器がデータ通信帯域を制御することを特徴とするネットワーク帯域制御システム。
【請求項２】
データ通信を行う送信機器と受信機器がネットワークで接続されたシステムにおいて、前期送信機器へのデータ通信要求の通知を遅延させるデータ通信要求遅延手段を有する、請求項１に記載のネットワーク帯域制御システム。
【請求項３】
データ通信を行う送信機器と受信機器がネットワークで接続されたシステムにおいて、前期受信機器に関する属性情報を管理する受信機器情報管理手段と、前期システムにおけるデータ通信の帯域を管理する帯域管理部と、前期帯域管理部と前期受信機器の間で帯域情報を通信する帯域情報通信手段と、前期受信機器において前期送信機器へのデータ通信要求を設定するデータ通信要求設定手段と、前期受信機器に対する属性情報に基づいて前期送信機器への通知データに通信制御情報を付加する手段と、前期受信機器から前期送信機器へデータ通信要求を通知するデータ通信要求送信手段と、前期送信機器から送信されるデータを受信するデータ通信受信手段を有し、前期受信機器がデータ通信帯域を制御することを特徴とするネットワーク帯域制御システム。
【請求項４】
データ通信を行う送信機器と受信機器がネットワークで接続されたシステムにおいて、前期受信機器に関する属性情報を管理する前期送信機器内の受信機器情報管理手段とデータ通信の帯域を管理する前期送信機器内の帯域管理部と、前期帯域管理部と前期受信機器の間で帯域情報を通信する帯域情報通信手段と、前期受信機器において前期送信機器へのデータ通信要求を設定するデータ通信要求設定手段と、前期受信機器から前期送信機器へデータ通信要求を通知するデータ通信要求送信手段と、前期送信機器から送信されるデータを受信するデータ通信受信手段を有し、前期受信機器がデータ通信帯域を制御することを特徴とするネットワーク帯域制御システム。
【請求項５】
データ通信を行う送信機器と受信機器がネットワークで接続されたシステムにおいて、前期送信機器へのデータ通信要求の通知を遅延させるデータ通信要求遅延手段を有する、請求項４に記載のネットワーク帯域制御システム。
【請求項６】
データ通信を行う送信機器と受信機器がネットワークで接続されたシステムにおいて、前期受信機器に関する属性情報を管理する前期送信機器内の受信機器情報管理手段と、データ通信の帯域を管理する帯域管理部と、前期帯域管理部と前期受信機器の間で帯域情報を通信する帯域情報通信手段と、前期受信機器において前期送信機器へのデータ通信要求を設定するデータ通信要求設定手段と、前期受信機器に対する属性情報に基づいて前期送信機器への通知データに通信制御情報を付加する手段と、前期受信機器から前期送信機器へデータ通信要求を通知するデータ通信要求送信手段と、前期送信機器から送信されるデータを受信するデータ通信受信手段を有し、前期受信機器がデータ通信帯域を制御することを特徴とするネットワーク帯域制御システム。
【発明の詳細な説明】
【技術分野】
【０００１】
本発明はネットワークの帯域制御に関するものである。
【背景技術】
【０００２】
一般にネットワークを介したデータ通信システムでは、データ通信量が増加して中継器などにおいてネットワークの通信帯域の限界値を越えてしまう輻輳状態が発生する場合がある。またデータ通信要求が集中して、送信機器での通信処理が大幅に遅延して、データ通信が大幅に低下する場合もある。例えば、ビデオデータの送信に必要な帯域は非常に大きいため多数の受信機器がビデオデータの送信を要求した場合、送信機器から受信機器へのデータ送信が著しく遅れる等の問題が発生する。またＷｅｂサーバに対するデータ通信要求のアクセスが集中した場合Ｗｅｂサーバでの通信処理がタイムアウトとなり、受信機器からのデータ通信要求が再発行される結果、データ通信要求のタイムアウトと再発行が繰り返されてしまい、ネットワークへのデータ通信量が増大してしまう場合もある。
【０００３】
このような問題を防ぐために、従来からネットワーク上のデータ通信量を制御したり、帯域を制限するための帯域制御方式が考案されている。
【０００４】
一般的な帯域制御では、通信サービスやデータの種類毎に設定された帯域に基づいて、送信機器内でデータを送信する帯域を制限したり、ネットワークの中継器内でデータ通信のタイミングや通信量を制御する方法が用いられている。しかしこれらの方法では、ネットワークの動作状況に応じて帯域を動的に変更設定する場合や、各ユーザ毎に帯域を設定するような場合、送信機器や中継器における帯域制御の設定や処理が複雑になるという問題がある。
【０００５】
さて図１２、図１３、図１４、図１５は、従来の帯域制御方法を示している。図１２は、ネットワークを介して送信機器と受信機器およびネットワークの中継器が接続されたシステム構成を示している。図１３はシステムで通信される通信データの形式を示している。図１４（Ａ）は図１２のシステムで提供される各サービスとその識別番号を示し、送信機器８０が保持している。図１４（Ｂ）は各サービスとデータ通信帯域の関係を示し、中継器９０が管理している。図１５は送信機器と中継器におけるデータ送信の時間関係を示している。
【０００６】
図１２において７０はデータを受信する受信機器、７１はネットワークに接続されるネットワークＩ／Ｆ、７２はデータを送信するデータ通信送信手段、７３はデータを受信するデータ通信受信手段、８０はデータを送信する送信機器、８１はネットワークに接続されるネットワークＩ／Ｆ、８２はデータを送受信するデータ通信管理部、９０はネットワークの通信データを中継する中継器、９１はネットワークに接続されるネットワークＩ／Ｆ、９２はデータを送信する時間を制御する通信データ制御手段、９３は通信データの帯域を管理する帯域情報管理部である。図１３において１００は通信するデータの形式を表し、受信先アドレスは、データを受信する受信機器のネットワークのアドレス、送信元アドレスは、データを送信する送信機器のネットワークのアドレス、データの種類などを示す属性、機識別番号は通信の種類を区別する情報、通信すべきデータ本体から構成される場合を示している。
【０００７】
図１２のシステムにおける帯域制御について説明する。例えば受信機器７０がサービスＡに対するデータ通信を要求する場合を考える。まずデータ通信要求通知手段７２がネットワークＩ／Ｆ７１を通じて、サービスＡのデータ通信要求を送信機器８０に対して送出する。送信機器８０ではデータ通信管理部８２がネットワーク４０からネットワークＩ／Ｆ８１を通して、受信機器７０からのデータ通信要求を受信する。そしてデータ通信管理部８２は、受信機器７０に対してデータ通信を開始する。その際、データ通信管理部８２では図１３の通信データ形式１００の送信元アドレスを送信機器８０のネットワークアドレスに、受信先アドレスを受信機器７０のネットワークアドレスに、図１４（Ａ）により識別番号をサービスＡの識別番号５０００に設定して、データ通信を行う。このとき図１５（Ａ）のように通信されるデータのサイズＳは一定で、時間間隔ｔでデータ通信されるものとする。さて送信機器８０から通信されたデータは、中継器９０のネットワークＩ／Ｆ９１で受信され、通信データ制御手段９２が通信データの識別番号によりサービス種類を判別する。さらに通信データ制御手段９２は帯域情報管理部９３に対して、サービスＡに対する通信帯域を取得するように指示する。帯域情報管理部９３は管理している図１４（Ｂ）の帯域管理情報を参照し、サービスＡの通信帯域１００Ｋｂｐｓを通信データ制御手段９２に返す。通信データ制御手段９２はサービスＡの通信帯域１００Ｋｂｐｓを維持するように、図１５（Ｂ）のようにサイズＳのデータを時間間隔ｔ１でネットワークＩ／Ｆ９１に対して、受信機器７０へのデータを通信する。このように中継器９０では時間間隔ｔ１を制御することによって各サービス毎のデータ通信帯域に従って、データ通信を行う。
【０００８】
以上説明したように、各サービス毎に通信帯域を設定された帯域管理情報を用いる帯域制御のシステムでは、もし複数の受信機器７０から同じサービスのデータ送信を要求された場合、全く同じ通信帯域が割当てられる。そのため各受信機器毎によって通信帯域を割当てる場合には、その設定変更の処理が難しくなる。また、各受信機器毎の帯域管理情報を格納する方式を用いた場合でも、受信機器数が増大した場合帯域管理情報を記録する記憶領域が増大すると共に、中継器９０で受信される全ての通信データに対して受信先アドレスまでも識別する処理が必要となり、その処理負荷が増大し、中継器９０の処理速度が低下することになる。
【０００９】
また各受信機器７０に対する帯域管理情報の設定や変更を動的に行う場合、全ての中継器における帯域管理情報を動的に設定する必要があり、中継器９０の動作に影響を与えることになる。
【００１０】
このように従来の帯域制御では、各受信機器毎の帯域管理や動的な設定変更を行う、フレキシブルな帯域制御が困難になるという問題がある。
【特許文献１】特開２００２−７７３００号公報
【発明の開示】
【発明が解決しようとする課題】
【００１１】
上記のように従来のネットワーク帯域制御システムでは、各受信機器やユーザ毎に帯域を設定するような場合、送信機器や中継器における帯域制御の設定や処理が複雑になるという欠点がある。
【００１２】
本発明はかかる点に鑑み、受信機器側で帯域設定を行う帯域制御によって、各受信機器やユーザ毎の帯域設定にも対応可能なネットワーク帯域制御システムを提供することを目的とする。
【課題を解決するための手段】
【００１３】
この課題を解決するために、請求項１に記載の本願第１の発明のネットワーク帯域制御システムは、データ通信を行う送信機器と受信機器がネットワークで接続されたシステムにおいて、前期受信機器に関する属性情報を管理する受信機器情報管理手段と、前期システムにおけるデータ通信の帯域を管理する帯域管理部と、前期帯域管理部と前期受信機器の間で帯域情報を通信する帯域情報通信手段と、前期受信機器において前期送信機器へのデータ通信要求を設定するデータ通信要求設定手段と、前期受信機器から前期送信機器へデータ通信要求を通知するデータ通信要求送信手段と、前期送信機器から送信されるデータを受信するデータ通信受信手段を有するものである。
【００１４】
また、請求項２に記載の本願第２の発明のネットワーク帯域制御システムは、データ通信を行う送信機器と受信機器がネットワークで接続されたシステムにおいて、前期受信機器に関する属性情報を管理する受信機器情報管理手段と、前期システムにおけるデータ通信の帯域を管理する帯域管理部と、前期帯域管理部と前期受信機器の間で帯域情報を通信する帯域情報通信手段と、前期受信機器において前期送信機器へのデータ通信要求を設定するデータ通信要求設定手段と、前期送信機器へのデータ通信要求の通知を遅延させるデータ通信要求遅延手段する手段と、前期受信機器から前期送信機器へデータ通信要求を通知するデータ通信要求送信手段と、前期送信機器から送信されるデータを受信するデータ通信受信手段を有するものである。
【００１５】
また、請求項３に記載の本願第３の発明のネットワーク帯域制御システムは、データ通信を行う送信機器と受信機器がネットワークで接続されたシステムにおいて、前期受信機器に関する属性情報を管理する受信機器情報管理手段と、前期システムにおけるデータ通信の帯域を管理する帯域管理部と、前期帯域管理部と前期受信機器の間で帯域情報を通信する帯域情報通信手段と、前期受信機器において前期送信機器へのデータ通信要求を設定するデータ通信要求設定手段と、前期受信機器に対する属性情報に基づいて前期送信機器への通知データに通信制御情報を付加する手段と、前期受信機器から前期送信機器へデータ通信要求を通知するデータ通信要求送信手段と、前期送信機器から送信されるデータを受信するデータ通信受信手段する手段を有するものである。
【００１６】
また、請求項４に記載の本願第４の発明のネットワーク帯域制御システムは、データ通信を行う送信機器と受信機器がネットワークで接続されたシステムにおいて、前期受信機器に関する属性情報を管理する前期送信機器内の受信機器情報管理手段とデータ通信の帯域を管理する前期送信機器内の帯域管理部と、前期帯域管理部と前期受信機器の間で帯域情報を通信する帯域情報通信手段と、前期受信機器において前期送信機器へのデータ通信要求を設定するデータ通信要求設定手段と、前期受信機器から前期送信機器へデータ通信要求を通知するデータ通信要求送信手段と、前期送信機器から送信されるデータを受信するデータ通信受信手段を有するものである。
【００１７】
また、請求項５に記載のネットワーク帯域制御システムは、データ通信を行う送信機器と受信機器がネットワークで接続されたシステムにおいて、データ通信を行う送信機器と受信機器がネットワークで接続されたシステムにおいて、前期受信機器に関する属性情報を管理する前期送信機器内の受信機器情報管理手段とデータ通信の帯域を管理する前期送信機器内の帯域管理部と、前期帯域管理部と前期受信機器の間で帯域情報を通信する帯域情報通信手段と、前期受信機器において前期送信機器へのデータ通信要求を設定するデータ通信要求設定手段と、前期送信機器へのデータ通信要求の通知を遅延させるデータ通信要求遅延手段と、前期受信機器から前期送信機器へデータ通信要求を通知するデータ通信要求送信手段と、前期送信機器から送信されるデータを受信するデータ通信受信手段を有するものである。
【００１８】
また、請求項６に記載のネットワーク帯域制御システムは、データ通信を行う送信機器と受信機器がネットワークで接続されたシステムにおいて、前期受信機器に関する属性情報を管理する前期送信機器内の受信機器情報管理手段と、データ通信の帯域を管理する帯域管理部と、前期帯域管理部と前期受信機器の間で帯域情報を通信する帯域情報通信手段と、前期受信機器において前期送信機器へのデータ通信要求を設定するデータ通信要求設定手段と、前期受信機器に対する属性情報に基づいて前期送信機器への通知データに通信制御情報を付加する手段と、前期受信機器から前期送信機器へデータ通信要求を通知するデータ通信要求送信手段と、前期送信機器から送信されるデータを受信するデータ通信受信手段を有するものである。
【発明の効果】
【００１９】
以上説明したように本発明によれば、帯域管理部と受信機器の設定によって、柔軟かつ容易な帯域制御と管理を行うことができる。
【発明を実施するための最良の形態】
【００２０】
（実施の形態１）
図１、図２、図３、図４、図５は本発明の請求項１に記載の本願第１の発明のネットワーク帯域制御システムを利用した実施の一形態を示す図である。
【００２１】
図１は、ネットワークを介して送信機器と受信機器およびネットワークの帯域を管理する帯域管理部が接続されたシステム構成を示している。図２は、送信機器と受信機器および帯域管理部との間で通信されるデータ形式を示している。図３（Ａ）は受信機器の属性情報を記録した受信機器情報を、図３（Ｂ）は受信機器が保持している通信帯域情報を示している。図４は送信機器のデータ通信の時間関係を示している。
【００２２】
図１において１０はデータを受信する受信機器、１１はネットワークに接続されるネットワークＩ／Ｆ、１２は送信機器へデータ通信要求と通信パラメータを通知するデータ通信要求送信手段、１３は送信装置から送信されるデータを受信するデータ通信受信手段、１４はシステムの帯域を管理する帯域管理部と受信機器１０の間で帯域情報を通信する帯域情報通信手段、１５は送信機器とのデータ通信帯域を設定するデータ通信要求設定手段、１６はデータ通信の帯域情報を記録したデータ通信帯域管理情報である。２０はシステムにおけるデータ通信の帯域を管理する帯域管理部と、２１はネットワークに接続されるネットワークＩ／Ｆ、２２は受信機器情報２３を管理する受信機器情報管理手段、２３は受信機器１０に関する属性情報を格納した受信機器情報である。３０は通信データを送信する送信機器、３１はネットワークＩ／Ｆ、３２はデータを送受信するデータ通信管理部である。４０は受信機器１０、帯域管理部２０、送信機器３０を結ぶネットワークである。
【００２３】
図２において、２００は受信機器１０から帯域管理部２０へ帯域情報取得が要求される場合の通信データ形式、２０１は帯域管理部２０から受信機器１０へ帯域情報が送信される場合の通信データ形式、２０２は受信機器１０から送信機器３０へデータ通信要求が送信される場合の通信データ形式、２０３は送信機器３０から受信機器１０へデータ通信を行う場合の通信データ形式である。
【００２４】
以上のように構成された帯域制御システムについて、図１、図２、図３、図４、図５を用いて動作を説明する。例えば、図１の受信機器１０が送信機器３０に対するデータ通信を要求する場合を考える。まず受信機器１０内のデータ通信要求設定手段１５が帯域管理情報通信手段１４に対して受信機器１０に割当てられた帯域情報を取得するように指示する。帯域管理情報通信手段１４は、帯域管理部２０に対して帯域情報の取得を通知するため、ネットワークＩ／Ｆ１１を通して図２の２００の通信データを送信する。（Ｓ１１）。帯域管理部２０ではネットワークＩ／Ｆ２１を介して受信し（Ｓ２１）、通信データに基づいて受信機器情報管理手段２２が受信機器情報２３から受信機器１０の情報を取得する（Ｓ２２）。図３（Ａ）の受信機器情報２３にはシステムにおいて受信機器を分類する情報として機器クラスとその機器の通信帯域が予め設定されているものとする。受信機器情報２３において受信機器１０は機器クラスＣ１、通信帯域値Ｒが設定されているので、受信機器情報管理手段２２は受信機器１０に対する応答として通信帯域値Ｒを含んだ、図２の２０１の通信データを送信する（Ｓ２３）。一方、帯域管理情報通信手段１４はネットワークＩ／Ｆ１１を通して帯域管理部２０からの通信データを受け取り（Ｓ１２）、通信データから通信帯域値Ｒを取り出して（Ｓ１３）、データ通信要求設定手段１５に伝える。データ通信要求設定手段１５は、図３（Ｂ）のデータ通信帯域管理情報１６を参照して、送信機器３０へのデータ通信要求のデータを設定する。例えば伝通信帯域値がＲの場合データ通信帯域管理情報１６から対応するデータサイズ値Ｓ、通信回数４となり、図２の２０２の通信データにデータサイズ値＝Ｓ、通信回数＝４の各値を設定する。次にデータ通信要求設定手段１５は、データ通信要求送信手段１２に対して送信機器３０へのデータ通信要求を送信するように指示する（Ｓ１４）。そしてデータ通信要求送信手段１２は、ネットワークＩ／Ｆ１１を通じて送信機器３０に対して、２０２の通信データを送信する（Ｓ１５）。
【００２５】
一方、送信機器３０では、データ通信管理部３２がネットワークＩ／Ｆ３１を通して受信機器１０から通信データを受信する（Ｓ３１）。次にデータ通信管理部３２は２０２の通信データ形式からサイズＳの通信データを４回送信すべきデータ通信要求であることを認識する。そして図２の２０３の形式でデータサイズＳを含む通信データを作成し、受信機器１０に対して送信する（Ｓ３２）。このとき、サイズＳの通信データを４回、図４のように時間Ｔの間に送信されるものとする。そして、送信機器３０から通信されたデータは、受信機器１０のネットワークＩ／Ｆ１１を介して、データ通信受信手段１３によって受信される（Ｓ１５）。
【００２６】
もし受信機器１０に対する割当てられた通信帯域がＲでなく、Ｒ／２である場合、以上説明したのと同様の処理によって、図３（Ｂ）からデータサイズはＳ／４、通信回数８として、送信機器３０から受信機器１０に対してデータ通信が行われることになる。
【００２７】
このように帯域管理部２０が管理して割当てられた通信帯域に対応して、受信機器１０がデータサイズに基づいてデータ通信を行う帯域制御システムを用いれば、複数の受信機器１０があるようなシステム構成において個々の受信機器１０に異なる通信帯域を割当てる場合でも、受信機器１０や帯域管理部２０の設定のみによって、容易に帯域制御を行うことができる。
【００２８】
以上のように、本実施の形態によれば、従来の帯域制御のように、ネットワーク上の中継器において全ての通信データを識別して送信を制御するような特別な帯域制御を行うことなく、比較的容易にネットワークの帯域管理と制御を行うことができる。
【００２９】
なお、本実施の形態では、帯域管理部２０が送信機器と独立してネットワークに接続される場合を扱ったが、送信機器内部に帯域管理部２０を持つ構成も考えられる。
【００３０】
（実施の形態２）
図６、図７、図８は本発明の請求項２に記載の本願第２の発明のネットワーク帯域制御システムを利用した実施の一形態を示す図である。
【００３１】
図６は、ネットワークを介して送信機器と受信機器およびネットワークの帯域を管理する帯域管理部が接続されたシステム構成を示している。図７は送信機器のデータ通信の時間関係を示している。図８（Ａ）は、送信機器と受信機器との間で通信される通信データ形式を示している。図８（Ｂ）は、受信機器が保持している通信帯域情報を示している。
【００３２】
図６において、５０は受信機器、１７はデータ通信要求遅延手段、１８は通信帯域情報、３３は送信機器、３４はデータを送受信するデータ通信管理部である
以下では、図６のシステムを用いた場合の帯域制御方法について、実施の形態１と異なる部分を中心に説明する。
【００３３】
図１の受信機器５０が送信機器３３に対するデータ通信を要求する場合、受信機器５０が帯域管理部２０から帯域情報を取得し、帯域管理情報通信手段１４が帯域管理部２０の通信データから通信帯域値Ｒを取り出してデータ通信要求設定手段１５に伝えるまでの処理は、実施の形態１と同様の処理である。
【００３４】
さて、データ通信要求設定手段１５は、図８（Ｂ）のデータ通信帯域管理情報１６を参照して、送信機器３３へのデータ通信要求のデータを設定する。例えば伝通信帯域値がＲの場合データ通信帯域管理情報１６から対応するデータサイズ値Ｓ、通信回数４、遅延時間０として、図８の２０４の通信データにデータサイズ値＝Ｓ、通信回数＝４、遅延時間０の各値を設定する。次にデータ通信要求設定手段１５は、データ通信要求送信手段１２に対して送信機器３０へデータ通信要求を送信するように指示し、データ通信要求送信手段１２が２０４の通信データを送信する。
【００３５】
一方、受信機器５０からの通信データを受信した送信機器３３では、データ通信管理部３４が２０４の通信データ形式からサイズＳの通信データを遅延時間０で４回送信すべきデータ通信要求であることを認識する。そして図２の２０３の形式でデータサイズＳを含む通信データを作成し、受信機器５０に対してサイズＳの通信データを４回、図７のように時間Ｔの間に送信される。もし受信機器５０に対する割当てられた通信帯域がＲでなく、Ｒ／２である場合、以上説明したのと同様の処理によって、図８（Ｂ）のデータ通信帯域管理情報１６からデータサイズＳ、通信回数４、遅延時間Ｔ／４として通信データが設定された後、受信機器５０から送信機器３３に対してデータ通信が要求される。その結果、送信機器３３から受信機器５０に対して図７のように遅延時間Ｔ／４の間隔でデータサイズＳ、通信回数４回のデータ通信が行われることになる
このように帯域管理部２０が管理して割当てられた通信帯域に対応して、受信機器５０がデータサイズと遅延時間を用いたデータ通信を行うことによって、複数の受信機器５０があるようなシステム構成において個々の受信機器５０に異なる通信帯域を割当てる場合でも、受信機器５０の設定によって、容易に帯域制御を行うことができる。
【００３６】
以上のように、本実施の形態によれば、受信機器の設定によって、容易にシステムのネットワークの帯域管理と制御を行うことができる。
【００３７】
なお、本実施の形態では、帯域管理部２０が送信機器と独立してネットワークに接続される場合を扱ったが、送信機器内部に帯域管理部２０を持つ構成も考えられる。
【００３８】
（実施の形態３）
図９、図１０、図１１は本発明の請求項３に記載の本願第３の発明のネットワーク帯域制御システムを利用した実施の一形態を示す図である。
【００３９】
図９は、ネットワークを介して送信機器と受信機器およびネットワークの帯域を管理する帯域管理部が接続されたシステム構成を示している。図１１は送信機器のデータ通信の時間関係を示している。図１０は、送信機器と受信機器との間で通信されるデータ形式を示している。図９において、６０は受信機器、１９は通信制御情報付加手段、３５は送信機器、３６はデータを送受信するデータ通信管理部であるである。
【００４０】
以下では、図９のシステムを用いた場合の帯域制御方法について、実施の形態１と異なる部分を中心に説明する。
【００４１】
図９の受信機器６０が送信機器３５に対するデータ通信を要求する場合、受信機器６０が帯域管理部２０に対して帯域情報の取得要求を送信して、帯域管理部２０がその要求を受信するまでは、実施の形態１と同様の処理である。
【００４２】
さて、帯域管理部２０内の受信機器情報管理手段２２は、受信機器６０に関する情報として、図３（Ａ）の受信機器情報２３に機器クラス値Ｃ１、通信帯域値Ｒが設定されているので、受信機器情報管理手段２２は受信機器６０に対する応答として、機器クラスＣ１と通信帯域値Ｒを含んだ、図１０（Ａ）の２０５の通信データを送信する。一方、ネットワークＩ／Ｆ１１を通して帯域管理部２０からの通信データを受け取った帯域管理情報通信手段１４は、通信データから機器クラス値Ｃ１と通信帯域値Ｒを取り出し、データ通信要求設定手段１５に伝える。データ通信要求設定手段１５は、伝通信帯域値がＲの場合データ通信帯域管理情報１６から対応するデータサイズ値Ｓ、通信回数４を取得すると共に、通信制御情報付加手段１９に対して、機器クラス値Ｃ１を与える。通信制御情報付加手段１９では受信機器６０の機器クラス値Ｃ１を参照して、通信データの優先度を設定し、データ通信要求設定手段１５にその優先度値を返す。そしてデータ通信要求設定手段１５は図１０（Ｂ）の２０６の通信データにデータサイズ値＝Ｓ、通信回数＝４、優先度値を設定する。
【００４３】
次にデータ通信要求設定手段１５がデータ通信要求に対する通信データを設定してから、データ通信要求送信手段１２を介して送信機器３５へ送信し、送信機器３５が図１０（Ｂ）の２０６の通信データを受信するまでの処理は、先に説明した通りである。
【００４４】
受信機器６０からの通信データを受信した送信機器３５では、データ通信管理部３４が２０６の通信データ形式から受信機器６０に対する、機器クラスＣ２に相当する低い優先度である、サイズＳの通信データを４回送信すべきデータ通信要求であることを認識する。
【００４５】
もしほぼ同じ時間に、受信機器１５０からの通信データを受信した送信機器３５では、データ通信管理部３６が２０６の通信データ形式から受信機器１６０に対する、機器クラスＣ１に相当する高い優先度である、サイズＳの通信データを４回送信すべき、データ通信要求であることを認識する。
【００４６】
そしてデータ通信管理部３６は、高い優先度である受信機器１６０に対する通信データと低い優先度である受信機器６０に対する通信データをそれぞれ図１０の２０３の形式に従って設定し、図７のように受信機器１６０に対する通信データを先に送信し、次に受信機器６０に対する通信データを送信するという処理を交互に繰り返す。
【００４７】
このように帯域管理部２０が管理して割当てられた通信帯域と受信機器の属性情報（機器クラス）にもとづいて、受信機器６０、１６０が通信制御情報を付加したデータ通信を行うことによって、複数の受信機器があるようなシステム構成において個々の受信機器に異なる通信帯域を割当てる場合でも、受信機器の設定によって、容易に帯域制御を行うことができる。
【００４８】
以上のように、本実施の形態によれば、受信機器の設定によって、容易にシステムのネットワークの帯域管理と制御を行うことができる。
【００４９】
なお、本実施の形態では、帯域管理部２０が送信機器と独立してネットワークに接続される場合を扱ったが、送信機器内部に帯域管理部２０を持つ構成も考えられる。
【産業上の利用可能性】
【００５０】
本発明にかかる  ネットワーク帯域制御システムは、帯域管理部と受信機器の設定によって、柔軟かつ容易な帯域制御と管理を行えることから、ネットワークの帯域制御等として有用である。
【図面の簡単な説明】
【００５１】
【図１】本発明の実施の形態１のシステム構成のブロック図
【図２】本発明の実施の形態１の通信データ形式を示す図
【図３】本発明の実施の形態１の受信機器情報とデータ通信帯域情報を示す図
【図４】本発明の実施の形態１のデータ通信サイズと処理時間を示す図
【図５】本発明の実施の形態１における処理フローを示す図
【図６】本発明の実施の形態２のシステム構成のブロック図
【図７】本発明の実施の形態２における処理フローを示す図
【図８】本発明の実施の形態２の通信データ形式とデータ通信帯域情報を示す図
【図９】本発明の実施の形態３のシステム構成のブロック図
【図１０】本発明の実施の形態３の通信データ形式を示す図
【図１１】本発明の実施の形態３のデータ通信の処理時間を示す図
【図１２】従来の帯域制御方法のシステム構成を示す図
【図１３】従来の帯域制御方法の通信データ形式を示す図
【図１４】従来の帯域制御方法の帯域管理情報を示す図
【図１５】従来の帯域制御方法のデータ通信の処理時間を示す図
【符号の説明】
【００５２】
１０  受信機器
１１  ネットワークＩ／Ｆ
１２  データ通信要求通知手段
１３  データ通信受信手段
１４  帯域管理情報通信手段
１５  データ通信要求設定手段
１６、１８  データ通信帯域管理情報
１７  データ通信遅延設定手段
１９  通信制御情報付加手段
２０  帯域管理部
２１  受信機器情報管理部
２２  受信機器情報
３０、３３，３５  送信機器
３１  ネットワークＩ／Ｆ
３２、３４、３６  データ通信管理部
４０  ネットワーク
５０、６０  受信機器
７０  受信機器
７１  ネットワークＩ／Ｆ
７２  データ通信要求通知手段
７３  データ通信受信手段
８０  送信機器
８１  ネットワークＩ／Ｆ
８２  データ通信管理部
９０  中継器
９１  ネットワークＩ／Ｆ
９２  通信データ制御手段
９３  帯域情報管理部
１００  通信データ形式
２００  通信データ
２０１  通信データ
２０２  通信データ
２０３  通信データ
２０４  通信データ
２０５  通信データ
２０６  通信データ
【図１】
2005086474.tif 000003
【図２】
2005086474.tif 000004
【図３】
2005086474.tif 000005
【図４】
2005086474.tif 000006
【図５】
2005086474.tif 000007
【図６】
2005086474.tif 000008
【図７】
2005086474.tif 000009
【図８】
2005086474.tif 000010
【図９】
2005086474.tif 000011
【図１０】
2005086474.tif 000012
【図１１】
2005086474.tif 000013
【図１２】
2005086474.tif 000014
【図１３】
2005086474.tif 000015
【図１４】
2005086474.tif 000016
【図１５】
2005086474.tif 000017